(57)【特許請求の範囲】
【請求項１】
パチンコ機の裏面に設けられた玉タンクに貯留された玉を、賞玉用と貸玉用とに区分しながら玉整列レール内で２列に整列させて玉計数払出装置に供給し、玉計数払出装置は単一の動力装置の回転方向を正逆切り替えることにより、賞玉用の玉送出部材と貸玉用の玉送出部材とのいずれか一方を選択的に駆動して賞玉又は貸玉を選択的に払出すパチンコ機用玉計数払出方法において、
２列の玉の流れを玉整列レール及び玉計数払出装置内で左右対称にしたことを特徴とするパチンコ機用玉計数払出方法。
【請求項２】
回転作用により導入部より玉を受け入れ、その玉を導出部へ移送し導出する玉送出部材と、該玉送出部材に回転作用を与える動力装置と、玉送出部材により導出された玉を計数する計数装置からなるパチンコ機用玉計数払出装置において、玉送出部材を２組設け、一方の玉送出部材は一方の回転作用により玉を払出し、他方の玉送出部材は前記一方の玉送出部材とは逆方向の回転作用により玉を払出す構造とし、それぞれの玉送出部材には、動力装置の回転トルクをそれぞれの玉の払出し作用が可能な方向のみ受入れ、他方の回転トルクは受け入れない一方向回転伝達手段を設け、正逆回転可能な１組の動力装置により駆動することを特徴とするパチンコ機用玉計数払出装置。
【請求項３】
回転作用により導入部より玉を受け入れ、その玉を導出部へ移送し導出する玉送出部材と、該玉送出部材に回転作用を与える動力装置と、玉送出部材により導出された玉を計数する計数装置からなるパチンコ機用玉計数払出装置において、正逆回転可能な単一の動力装置と、同方向に回転して玉を移送する２組の玉送出部材とを設け、それぞれの玉送出部材には回転トルクを、それぞれの玉の払出し作用が可能な方向のみ受入れ、他方の回転トルクは受け入れない一方向回転伝達手段を設けるとともに、この動力装置と一方の玉送出部材との間には回転方向逆転手段を設け、動力装置の正逆回転により２組の玉送出部材のいずれか一方のみを回転させることを特徴とするパチンコ機用玉計数払出装置。
【請求項４】
２組の玉送出部材と一方向回転伝達手段とを一軸上に設け、軸の回転力を、それぞれの一方向回転伝達手段を介して玉送出部材に伝えるようにし、軸に正逆回転可能な動力装置の回転力を伝えるようにした請求項２に記載のパチンコ機用玉計数払出装置。
【請求項５】
２組の玉送出部材と一方向回転伝達手段とを、それぞれ別個の軸で支持するようにし、動力装置の回転力を、一方向回転伝達手段を介してそれぞれの玉送出部材に伝えるようにした請求項２に記載のパチンコ機用玉計数払出装置。
【請求項６】
２組の玉送出部材と一方向回転伝達手段とを一軸上に設け、軸の正方向の回転力を一方の一方向回転伝達手段に伝え、軸の逆方向の回転力は歯車列により回転方向を反転して前記一方の一方向回転伝達手段と同方向回転としたうえ、軸に嵌合している他方の一方向回転伝達手段に伝達するようにした請求項３に記載のパチンコ機用玉計数払出装置。
【請求項７】
少なくとも一方の一方向回転伝達手段を、弾性体の附勢による回転、又は爪自身の撓みによって作動する係止爪が相手部品の爪摺動部に設けられた凸又は凹状の係合部に、一方向には係合し一方には逸脱するようにしたいわゆるラチエットクラッチとした請求項２又は３に記載のパチンコ機用玉計数払出装置。
【請求項８】
少なくとも一方の一方向回転伝達手段を、軸の外径にコイルスプリングを巻きつけ、コイルスプリングの一端を被駆動側に係合したいわゆるバネクラッチとした請求項２又は３に記載のパチンコ機用玉計数払出装置。
【請求項９】
少なくとも一方の一方向回転伝達手段を、僅かなクリヤランスを隔てて相対する回転面の一方に、面の回転方向に向かってクリヤランスが拡大又は縮小する空隙を設け、この空隙にボール又はローラー状の係止作用体を挿入しこの係止作用体が空隙のクリヤランスが減少する方向へ附勢した構造のものとした請求項２又は３に記載のパチンコ機用玉計数払出装置。
【請求項１０】
玉送出部材を、回転体の外周に玉を受け入れる玉保持部を設けて玉を回転の半径方向に出し入れするいわゆるローター型とした請求項２〜９の何れかに記載のパチンコ機用玉計数払出装置。
【請求項１１】
玉送出部材を、回転体の外周に螺旋状の玉送り溝を設けたいわゆるスクリュー型とした請求項２〜９の何れかに記載のパチンコ機用玉計数払出装置。
【請求項１２】
少なくとも一方の玉送出部材の玉保持部あるいは玉送り溝を、複数とした請求項１０または１１に記載のパチンコ機用玉計数払出装置。
【発明の詳細な説明】
【０００１】
【発明の属する技術分野】
本発明は、貸し玉と賞玉をパチンコ機の玉受け皿に払い出すパチンコ機用玉計数払出方法及び装置に関するものである。
【０００２】
【従来の技術】
貸し玉と賞玉をパチンコ機の玉受け皿に払い出すパチンコ機用玉計数払出装置は、遊戯中に遊戯者が貸し玉の払い出しを受ける場合に賞玉と混在して払い出されるため、遊戯者が所定量の貸し玉が払い出されたか否かを確認できない。そこで従来は共通の払出装置を用いていたのを改め、それぞれ別個の払出装置を用いることが求められている。しかし別個の払出装置を用いるとモータ等の動力装置も２個必要となり、装置の大型化やコストアップとなるという問題がある。
【０００３】
【発明が解決しようとする課題】
本発明は前記のような従来の問題を解決し、単一の動力装置により、貸し玉と賞玉とを分けて払い出しができるパチンコ機用玉計数払出方法及び装置を提供するためになされたものである。
【０００４】
【課題を解決するための手段】
前記の課題を解決するためになされた請求項１の発明のパチンコ機用玉計数払出方法は、パチンコ機の裏面に設けられた玉タンクに貯留された玉を、賞玉用と貸玉用とに区分しながら玉整列レール内で２列に整列させて玉計数払出装置に供給し、玉計数払出装置は単一の動力装置の回転方向を正逆切り替えることにより、賞玉用の玉送出部材と貸玉用の玉送出部材とのいずれか一方を選択的に駆動して賞玉又は貸玉を選択的に払出すパチンコ機用玉計数払出方法において、
２列の玉の流れを玉整列レール及び玉計数払出装置内で左右対称にしたことを特徴とするものである。
【０００５】
また前記の課題を解決するためになされた請求項２の発明のパチンコ機用玉計数払出装置は、回転作用により導入部より玉を受け入れ、その玉を導出部へ移送し導出する玉送出部材と、該玉送出部材に回転作用を与える動力装置と、玉送出部材により導出された玉を計数する計数装置からなるパチンコ機用玉計数払出装置において、玉送出部材を２組設け、一方の玉送出部材は一方の回転作用により玉を払出し、他方の玉送出部材は前記一方の玉送出部材とは逆方向の回転作用により玉を払出す構造とし、それぞれの玉送出部材には、動力装置の回転トルクをそれぞれの玉の払出し作用が可能な方向のみ受入れ、他方の回転トルクは受け入れない一方向回転伝達手段を設け、正逆回転可能な１組の動力装置により駆動することを特徴とするものである。
【０００６】
また前記の課題を解決するためになされた請求項３の発明のパチンコ機用玉計数払出装置は、回転作用により導入部より玉を受け入れ、その玉を導出部へ移送し導出する玉送出部材と、該玉送出部材に回転作用を与える動力装置と、玉送出部材により導出された玉を計数する計数装置からなるパチンコ機用玉計数払出装置において、正逆回転可能な単一の動力装置と、同方向に回転して玉を移送する２組の玉送出部材とを設け、それぞれの玉送出部材には回転トルクを、それぞれの玉の払出し作用が可能な方向のみ受入れ、他方の回転トルクは受け入れない一方向回転伝達手段を設けるとともに、この動力装置と一方の玉送出部材との間には回転方向逆転手段を設け、動力装置の正逆回転により２組の玉送出部材のいずれか一方のみを回転させることを特徴とするものである。
【０００７】
本発明によれば、単一の動力装置により、貸し玉と賞玉とをそれぞれ別個の玉送出部材により払い出すことができる。
【０００８】
【発明の実施の形態】
次に、本発明の実施の形態を図面により説明する。
図１はパチンコ機の裏面を示す図であり、９１は玉タンク、９２は玉整列レール、９３は玉計数払出装置である。この玉タンク９１には図示を略した補給樋から玉が供給され、図２に示される平面形状を持つ玉整列レール９２の内部で賞玉用と貸玉用とに２列に区分しながら整列させたうえ、玉計数払出装置９３に供給する。なお、２列の玉の流れは玉整列レール９２内で左右対称にされており、また以下に述べるように玉計数払出装置９３内でも左右対称として、各々の玉払出特性を同一とすることが好ましい。
【０００９】
玉計数払出装置９３は、賞玉用の玉送出部材と貸玉用の玉送出部材とを単一の動力装置３によって選択的に回転させるようにしたもので、その詳細は以下に説明する通りである。玉整列レール９２から賞玉用として玉計数払出装置９３に供給された玉は、動力装置３が特定方向に回転したときに賞玉用の玉送出部材により払出され、玉整列レール９２から貸玉用として玉計数払出装置９３に供給された玉は、動力装置３が反対方向に回転したときに貸玉用の玉送出部材により払出される。このように、単一の動力装置３を正転あるいは逆転させることによって、賞玉と貸玉とを別個に払出せるようになっている。
【００１０】
このように単一の動力装置３を正転あるいは逆転させることによって、賞玉と貸玉とを別個に払出せる玉計数払出装置９３として、請求項３の構造のものと、請求項４の構造のものとが挙げられる。請求項３の玉計数払出装置は、賞玉用の玉送出部材と貸玉用の玉送出部材とが逆方向に回転し、請求項４の玉計数払出装置は、賞玉用の玉送出部材と貸玉用の玉送出部材とが同方向に回転する。以下に各玉計数払出装置について、詳細に説明する。
【００１１】
図３から図１０は請求項３の玉計数払出装置の第１の実施の形態を示すものであり、図３は中央縦断面図、図４は図３のＡ−Ａ矢視図、図５は図３のＢ−Ｂ矢視図である。
図中、１はパチンコ機用玉計数払出装置の本体、２、２は本体１内に設けた２組の玉送出部材であり、各玉送出部材２、２は正逆回転可能な１組の動力装置３により駆動される回転作用により導入部４より玉を受けいれ、その玉を導出部５へ移送し導出して計数装置６により計数したうえ、玉受け皿に送出するものである。また、各玉送出部材２は回転体２ａの外周に玉を受け入れる玉保持部２ｂを複数設けて玉を回転の半径方向に出し入れするいわゆるローター型としたものである。なお玉保持部２ｂは単数であってもよく、また、両玉送出部材２、２の少なくとも一方の玉保持部２ｂを複数として、賞玉と貸玉との間で払出し速度に差を与えることもできる。
【００１２】
この両玉送出部材２、２は回転体２ａの軸孔２ｃを動力装置３により駆動される１本の軸７に軸支して、両玉送出部材２、２と前記軸７との間に設けた一方向回転伝達手段８、８により一方の玉送出部材２は一方（右方）の回転作用により玉を払出し、他方の玉送出部材２は前記一方の玉送出部材２とは逆方向（左方）の回転作用により玉を払出す構造となっている。すなわち、前記一方向回転伝達手段８、８は動力装置３の回転トルクをそれぞれの玉送出部材２、２の玉の払出し作用が可能な方向のみ受入れ、他方の回転トルクは受け入れない自由回転クラッチ又は一方向クラッチと言われているものである。
【００１３】
このように構成されたものは、玉送出部材２が正逆回転可能な１組の動力装置３により駆動される回転作用により導入部４より玉を受けいれ、その玉を導出部５へ移送し導出して、計数装置６により計数したうえ玉受け皿に送出するものである。本発明に係るものは玉送出部材２を２組設けたものであるので、一方の玉送出部材２を貸し玉払出し用とし、他方の玉送出部材２を賞玉を払出し用とすることができる。この両玉送出部材２、２は回転体２ａの軸孔２ｃを動力装置３により駆動される１本の軸７に軸支して、両玉送出部材２、２と前記軸７との間に設けた一方向回転伝達手段８、８により一方の玉送出部材２は一方（右方）の回転作用により玉を払出し、他方の玉送出部材２は前記一方の玉送出部材２とは逆方向（左方）の回転作用により玉を払出す構造となっているので、貸し玉払出し時に動力装置３が駆動しても、一方の玉送出部材２のみが回転して他方の玉送出部材２は回転しないので、貸し玉のみが払い出されこととなる。また、逆に、賞玉払出し時に動力装置３が駆動しても、他方の玉送出部材２のみが回転して一方の玉送出部材２は回転しないので、賞玉のみが払い出されこととなる。なお、遊戯中に遊戯者が貸し玉の払い出しを求めたときに入賞玉があった場合には、貸し玉の払い出しを優先させておくことが、所定量の貸し玉が払い出されたか否かを確認するために便利である。
【００１４】
続いて、一方向回転伝達手段８の具体例を図６から図１０により説明する。先ず、図６、図７に示すものは、弾性体の附勢による回転、又は爪自身の撓みによって作動する係止爪が相手部品の爪摺動部に設けられた凸又は凹状の係合部に、一方向には係合し一方には逸脱するようにしたいわゆるラチエットクラッチである。図６はその１例を示すもので、軸７に嵌合固定する回動筒体３１の周面に先端を外周に向けて爪自身の撓みによって附勢する係止爪３２を設けた爪車３０を、玉送出部材２の基端側に張設したドラム部２１に嵌合して、係止爪３２の先方側に向け爪車３０が回転した場合に係止爪３２の先端面が該ドラム部２１の内面に形成した爪摺動部２２に設けた凸状の係合部２３に係止して玉送出部材２が回転トルクを受入れて軸７を中心に回転して玉の払出し作用を行うものである。また、係止爪３２の基端側に向け爪車３０が回転した場合には係止爪３２は爪摺動部２２を摺動するのみでドラム部２１内で自由回転して玉送出部材２が回転トルクを受入れないものであって、玉の払出し作用を行わないものである。
【００１５】
次に、図７に示すラチエットクラッチの他の例のものは、軸７に嵌合固定する回動円盤３４の周面に係止爪３５の基端を枢支したうえ、該係止爪３５の先端を外周に向け附勢する押しバネ３５ａを前記回動円盤３４と係止爪３５間に介在させた爪車３０を、玉送出部材２の基端側に張設したドラム部２１に嵌合して、係止爪３５の先方側に向け爪車３０が回転した場合に係止爪３５の先端面が該ドラム部２１の内面に形成した爪摺動部２２に設けた凹状の係合部２３に係止して（図７（Ａ）参照）玉送出部材２が回転トルクを受入れて軸７を中心に回転して玉の払出し作用を行うものである。また、係止爪３５の基端側に向け爪車３０が回転した場合には係止爪３５は爪摺動部２２を摺動するのみで（図７（Ｂ）参照）ドラム部２１内で自由回転して玉送出部材２が回転トルクを受入れないものであって、玉の払出し作用を行わないものである。
【００１６】
図８、図９に示す一方向回転伝達手段８は、いわゆるバネクラッチと称されるもので、軸７の外径にコイルスプリング３６のコイル部３６ａを巻きつけ、コイルスプリング３６の一端を被駆動側である玉送出部材２の基端面に係合したものであり、コイルスプリング３６は軸７の一方方向の回転即ちコイルスプリング３６の一端を引きつける方向（図９（Ａ）参照）への回転により軸７に巻きつけたコイル部３６ａが軸７を締めつけて該軸７の回転に伴い回動して玉送出部材２が回転トルクを受入れて軸７を中心に回転して玉の払出し作用を行うものである。また、軸７をこれとは逆方向に回転した場合（図９（Ｂ）参照）はコイル部３６ａが軸７を締めつけることがないので軸７は自由回転して玉送出部材２が回転トルクを受入れることがないものである。
【００１７】
図１０に示す一方向回転伝達手段８は、いわゆるボールクラッチ式とロールクラッチ式と通称されるもので、軸７に固定した回転体３７の外周面と玉送出部材２の基端側に張設したドラム部２１の内周面との間に僅かなクリヤランス３８を隔てて相対する回転面の一方即ちドラム部２１に、面の回転方向に向かってクリヤランス３８が拡大又は縮小する空隙３９を設け、この空隙３９にボール又はローラー状の係止作用体４０を挿入しこの係止作用体４０が回転体３７の回転により空隙３９のクリヤランス３８が減少する方向へ附勢した場合（図１０（Ａ）参照）に玉送出部材２が回転トルクを受入れて軸７を中心に回転して玉の払出し作用を行うものであり、回転体３７がこれとは逆に回転した場合には係止作用体４０が空隙３９のクリヤランス３８が拡大する方向へ附勢した場合（図１０（Ｂ）参照）には回転体４０は自由回転して玉送出部材２が回転トルクを受入れないものであって、玉の払出し作用を行わないものである。なお、これらの一方向回転伝達手段８は２組の玉送出部材２、２に同一のものを使用することが製造上、部品管理上好ましいが、それぞれ異なるものを使用してもよい。
【００１８】
図１１から図１３は請求項３の玉計数払出装置の第２の実施の形態を示すもので、２組の玉送出部材２、２と一方向回転伝達手段８、８を、それぞれ別個の軸７、７で支持して、両軸７、７の基端に設けた歯車９、９に動力装置３の回転軸３ａに設けた歯車１０と噛み合わせてなる動力伝達手段を介して動力装置３の回転力を両軸７、７に伝達したうえ、一方向回転伝達手段８、８を介してそれぞれの玉送出部材に伝えるようにしたものであり、その他の構成は前記第１の実施の形態と同様である。
【００１９】
また、図１４は請求項３の玉計数払出装置の第３の実施の形態を示すもので、玉送出部材２を回転体２ａの外周に螺旋状の玉送り溝２ｄを設けたいわゆるスクリュー型としたもので、その他の構成は前記第２の実施の形態と同様である。さらに、図１５に示す第４の実施形態のものは、回転体２ａの外周に螺旋状の玉送り溝２ｄを設けたいわゆるスクリュー型としたほかは第１の実施の形態と同様であり、これらの第２〜４の実施形態の玉計数払出装置は、第１の実施形態のものと同様に貸し玉と賞玉とを分けて選択的に払い出しができるものである。
なお、両玉送出部材２、２の少なくとも一方の玉送り溝２ｄを例えば２条ねじ等として、賞玉と貸玉との間で払出し速度に差を与えることもできる。
【００２０】
次に図１６以下に、請求項４の玉計数払出装置の実施形態を示す。
図１６は中央縦断面図、図１７は分解斜視図である。この実施形態では、正逆回転可能な単一の動力装置３により回転される共通の軸５０上に、同方向に回転して玉を移送する２組の玉送出部材６０ａ、６０ｂが軸５０に対して回転自在に設けられている。左側の玉送出部材６０ａの一方向回転伝達手段８ａは、軸５０の非円形部５１に嵌合されているため軸５０と同一方向に回転し、図示の例では動力装置３が矢印で示す時計方向に軸５０を回転させたとき、左側の玉送出部材６０ａを時計方向に回転させることができる。
【００２１】
しかし、右側の玉送出部材６０ｂの一方向回転伝達手段８ｂは、軸５０には固定されておらず、軸５０上を自由回転できる歯車５２に固定されている。この歯車５２は図１８に示すように軸５０と平行な軸５３上で回転できるアイドル歯車５４とかみ合い、このアイドル歯車５４は別の軸５５上で回転できるアイドル歯車５６とかみあっている。更にこのアイドル歯車５６と一体化されたアイドル歯車５７が、動力装置３により回転される軸５０に固定された歯車５８とかみあっている。
【００２２】
これらの各歯車により構成される歯車列は、図１７に示したように軸５０の回転方向を反転して、右側の玉送出部材６０ｂの一方向回転伝達手段８ｂを回転させる。従って、動力装置３が矢印で示す時計方向に軸５０を回転させたとき、一方向回転伝達手段８ｂは反時計方向に回転することとなり、このときには右側の玉送出部材６０ｂに回転力は伝達されない。しかし動力装置３が反時計方向に軸５０を回転させると、一方向回転伝達手段８ｂは時計方向に回転され、右側の玉送出部材６０ｂは時計方向に回転される。なおこのとき、左側の玉送出部材６０ａの一方向回転伝達手段８ａは反時計方向に回転されるため、左側の玉送出部材６０ａには回転力は伝達されない。
【００２３】
この玉計数払出装置は、動力装置３の正逆回転により２組の玉送出部材６０ａ、６０ｂのいずれか一方のみを同一方向に回転させることが可能となる。これによる利点は、図１９に示すように玉送出部材６０ａ、６０ｂの同一側に玉を排出することができることである。なお、請求項４の玉計数払出装置においても、請求項３について述べた各種の一方向回転伝達手段を用いることができる。
【００２４】
【発明の効果】
以上に説明したように、本発明によれば単一の動力装置を正逆回転させることにより、貸し玉と賞玉とを分けて払い出しができる利点がある。
【図面の簡単な説明】
【図１】請求項１の発明の実施形態を示す背面図である。
【図２】玉整列レールの平面図である。
【図３】請求項３の発明の第１の実施の形態を示す断面図である。
【図４】図３のＡ−Ａ矢視図である。
【図５】図３のＢ−Ｂ矢視図である。
【図６】一方向回転伝達手段のラチエットクラッチの１例を示す図である。
【図７】一方向回転伝達手段のラチエットクラッチの他例を示す図である。
【図８】一方向回転伝達手段のバネクラッチの１例を示す側面図である。
【図９】一方向回転伝達手段のバネクラッチの１例を示す正面図である。
【図１０】一方向回転伝達手段のボールクラッチとロールクラッチの１例を示す正面図である。
【図１１】請求項３の発明の第２の実施の形態を示す正面図である。
【図１２】請求項３の発明の第２の実施の形態を示す横断面図である。
【図１３】請求項３の発明の第２の実施の形態を示す縦断面図である。
【図１４】請求項３の発明の第３の実施の形態を示す横断面図である。
【図１５】請求項３の発明の第４の実施の形態を示す横断面図である。
【図１６】請求項４の発明の実施の形態を示す中央縦断面図である。
【図１７】請求項４の発明の実施の形態を示す分解斜視図である。
【図１８】図１６のＣ−Ｃ矢視図である。
【図１９】図１６のＤ−Ｄ矢視図である。
【符号の説明】
１  パチンコ機用玉計数払出装置の本体
２  玉送出部材
２ａ  回転体
２ｂ  玉保持部
２ｃ  軸孔
２ｄ  玉送り溝
３  動力装置
３ａ  回転軸
４  導入部
５  導出部
６  計数装置
７  軸７
８  一方向回転伝達手段
２１  ドラム部
２２  爪摺動部
２３  係合部
３０  爪車
３１  回動筒体
３２  係止爪
３４  回動円盤
３５  係止爪
３５ａ  押しバネ
３６  コイルスプリング
３６ａ  コイル部
３７  回転体
３８  クリヤランス
３９  空隙
４０  係止作用体
５０  軸
５１  非円形部
５２  歯車
５３  軸
５４  アイドル歯車
５５  軸
５６  アイドル歯車
５７  アイドル歯車
５８  歯車
６０ａ  玉送出部材
６０ｂ  玉送出部材
９１  玉タンク
９２  玉整列レール
９３  玉計数払出装置
【図１】
0004430756.tif 000002
【図２】
0004430756.tif 000003
【図３】
0004430756.tif 000004
【図４】
0004430756.tif 000005
【図５】
0004430756.tif 000006
【図６】
0004430756.tif 000007
【図７】
0004430756.tif 000008
【図８】
0004430756.tif 000009
【図９】
0004430756.tif 000010
【図１０】
0004430756.tif 000011
【図１１】
0004430756.tif 000012
【図１２】
0004430756.tif 000013
【図１３】
0004430756.tif 000014
【図１４】
0004430756.tif 000015
【図１５】
0004430756.tif 000016
【図１６】
0004430756.tif 000017
【図１７】
0004430756.tif 000018
【図１８】
0004430756.tif 000019
【図１９】
0004430756.tif 000020